(57)【要約】【課題】ガードレール用支柱等の各種の支柱を、容易に引抜き、あるいは打込むために使用する支柱用加振装置を提供する。【解決手段】地面に立設されるガードレール用支柱等の支柱２０を引抜く際、または打込む際に、支柱２０に振動を加えて引抜きや打込みを容易にするための支柱用加振装置であって、第一歯車本体５ａに第一偏心重り５ｂが設けられ、モーター２の動力により、ベルト３を介して回転する主動歯車５と、第二歯車本体６ａに第二偏心重り６ｂが設けられ、主動歯車５と噛合って回転する従動歯車６とが設けられた振動体４の下端部に、支柱２０の頭部に組付く組付体７が設けられると共に、上部に、吊下げ用の係止体８が設けられている。【選択図】図１
2005113405.tif 000002
【特許請求の範囲】
【請求項１】
地面に立設されるガードレール用支柱等の各種の支柱（２０）を引抜く際，または打込む際に，該支柱に振動を加えて引抜きや打込みを容易にするための加振装置であって、
第一歯車本体（５ａ）に第一偏心重り（５ｂ）が設けられ，モーター（２）によって回転する主動歯車（５）と，第二歯車本体（６ａ）に第二偏心重り（６ｂ）が設けられ，前記主動歯車と噛合って回転する従動歯車（６）とが設けられた振動体（４）の下端部に，前記支柱の頭部に組付く組付体（７）が設けられると共に，上部に，吊下げ用の係止体（８）が設けられてなる支柱用加振装置。
【請求項２】
地面に立設されるガードレール用支柱等の各種の支柱（２０）を引抜く際，または打込む際に，該支柱に振動を加えて引抜きや打込みを容易にするための加振装置であって、
第一歯車本体（５ａ）に第一偏心重り（５ｂ）が設けられ，モーター（２）によって回転する主動歯車（５）と，第二歯車本体（６ａ）に第二偏心重り（６ｂ）が設けられ，前記主動歯車と噛合って回転する従動歯車（６）とが設けられた振動体（４）の下端部に，前記支柱の頭部に組付く組付体（７）が設けられると共に，上部に，吊下げ用の係止体（８）が設けられ、且つ係止体（８）に、バネ材（９ａ）で構成した緩衝体（９）が係止され、あるいは組込まれてなる支柱用加振装置。
【請求項３】
地面に立設されるガードレール用支柱等の各種の支柱（２０）を引抜く際，または打込む際に，該支柱に振動を加えて引抜きや打込みを容易にするための加振装置であって、
第一歯車本体（５ａ）に第一偏心重り（５ｂ）が設けられ，モーター（２）によって回転する主動歯車（５）と，第二歯車本体（６ａ）に第二偏心重り（６ｂ）が設けられ，前記主動歯車と噛合って回転する従動歯車（６）とが設けられた振動体（４）の下端部に，前記支柱の頭部に組付く組付体（７）が設けられると共に，上部に，吊下げ用の係止体（８）が設けられてなり、前記主動歯車と従動歯車は，同一径および同一歯数を有して左右に並列設され，而も，該主動歯車の第一偏心重りと従動歯車の第二偏心重りが，上下同一方向で左右逆方向に設けられてなる支柱用加振装置。
【請求項４】
地面に立設されるガードレール用支柱等の各種の支柱（２０）を引抜く際，または打込む際に，該支柱に振動を加えて引抜きや打込みを容易にするための加振装置であって、第一歯車本体（５ａ）に第一偏心重り（５ｂ）が設けられ，モーター（２）によって回転する主動歯車（５）と，第二歯車本体（６ａ）に第二偏心重り（６ｂ）が設けられ，前記主動歯車と噛合って回転する従動歯車（６）とが設けられた振動体（４）の下端部に，前記支柱の頭部に組付く組付体（７）が設けられると共に，上部に，吊下げ用の係止体（８）が設けられてなり、前記主動歯車と従動歯車は，同一径および同一歯数を有して左右に並列設され，且つ係止体（８）に、バネ材（９ａ）で構成した緩衝体（９）が係止され、あるいは組込まれてなり、前記主動歯車と従動歯車は，同一径および同一歯数を有して左右に並列設され，而も，該主動歯車の第一偏心重りと従動歯車の第二偏心重りが，上下同一方向で左右逆方向に設けられてなる支柱用加振装置。
【請求項５】
振動体（４）の左右両端部には縦孔を有するガイド筒（１０）が設けられ、該ガイド筒の縦孔に挿通する案内棒（１１ａ）を立設した支持体（１１）が設けられてなる請求項１乃至４のいずれかに記載の支柱用加振装置。
【発明の詳細な説明】
【技術分野】
【０００１】
本発明は、振動を加えることによって、ガードレール用支柱をはじめとする各種の支柱を引抜き易くしたり、打込み易くすることのできる加振装置に関するものである。
【背景技術】
【０００２】
例えば、ガードレール用の支柱は長期間の使用によって腐食や損傷するため、定期的に交換する必要があり、その際、当該ガードレールを引抜く必要がある。
【発明の開示】
【発明が解決しようとする課題】
【０００３】
従来、このガードレール用支柱の引抜きは、クレーン等の重機等で上方に引っ張り上げるようにして行っているが、当該支柱は地中深く強固に埋設されているので、円滑に引抜くことが困難であり、きわめて厄介な作業を必要としていた。また、新たな支柱を打込む作業も同様に厄介な作業を必要としていた。
【０００４】
本発明はこうした点に鑑み創案されたもので、ガードレール用支柱等の各種の支柱を容易に引抜き、あるいは打込むために使用する加振装置を提供することを課題とする。
【課題を解決するための手段】
【０００５】
図１乃至図６を参照して説明する。請求項１に記載の支柱用加振装置１は、地面に立設されるガードレール用支柱等の支柱２０を引抜く際、または打込む際に、当該支柱２０に振動を加えて引抜きや打込みを容易にするための加振装置であって、第一歯車本体５ａに第一偏心重り５ｂが設けられ、モーターによって回転する主動歯車５と、第二歯車本体６ａに第二偏心重り６ｂが設けられ、前記主動歯車５と噛合って回転する従動歯車６とが設けられた振動体４の下端部に、前記支柱２０の頭部に組付く組付体７が設けられると共に、上部に、吊下げ用の係止体８が設けられてなるものである。
【０００６】
請求項２に記載の支柱用加振装置１は、地面に立設されるガードレール用支柱等の支柱２０を引抜く際、または打込む際に、当該支柱２０に振動を加えて引抜きや打込みを容易にするための加振装置であって、第一歯車本体５ａに第一偏心重り５ｂが設けられ、モーターによって回転する主動歯車５と、第二歯車本体６ａに第二偏心重り６ｂが設けられ、前記主動歯車５と噛合って回転する従動歯車６とが設けられた振動体４の下端部に、前記支柱２０の頭部に組付く組付体７が設けられ、且つ係止体８に、バネ材９ａで構成した緩衝体９が係止され、あるいは組込まれてなるものである。
【０００７】
請求項３に記載の支柱用加振装置１は、地面に立設されるガードレール用支柱等の支柱２０を引抜く際、または打込む際に、該支柱２０に振動を加えて引抜きや打込みを容易にするための加振装置であって、第一歯車本体５ａに第一偏心重り５ｂが設けられ、モーター２によって回転する主動歯車５と、第二歯車本体６ａに第二偏心重り６ｂが設けられ、前記主動歯車５と噛合って回転する従動歯車６とが設けられた振動体４の下端部に、前記支柱２０の頭部に組付く組付体７が設けられると共に、上部に、吊下げ用の係止体８が設けられてなり、前記主動歯車５と従動歯車６は、同一径および同一歯数を有して左右に並列設され、而も、該主動歯車５の第一偏心重り５ｂと従動歯車６の第二偏心重り６ｂが、上下同一方向で左右逆方向に設けられてなるものである。ここで、「上下同一方向で左右逆方向」とは、図２および図５に示すように、第一偏心重り５ｂが第一歯車本体５ａの最上位および最下位に位置するときには、第二偏心重り６ｂも同様に第二歯車本体６ａの最上位および最下位に位置し、その逆に、第一偏心重り５ｂが左側に位置するときには、第二偏心重り６ｂが右側に位置する関係を言う。
【０００８】
請求項４に記載の支柱用加振装置１は、地面に立設されるガードレール用支柱等の支柱２０を引抜く際、または打込む際に、該支柱２０に振動を加えて引抜きや打込みを容易にするための加振装置であって、第一歯車本体５ａに第一偏心重り５ｂが設けられ、モーター２によって回転する主動歯車５と、第二歯車本体６ａに第二偏心重り６ｂが設けられ、前記主動歯車５と噛合って回転する従動歯車６とが設けられた振動体４の下端部に、前記支柱２０の頭部に組付く組付体７が設けられると共に、上部に、吊下げ用の係止体８が設けられてなり、且つ係止体８に、バネ材９ａで構成した緩衝体９が係止され、あるいは組込まれてなり、前記主動歯車５と従動歯車６は、同一径および同一歯数を有して左右に並列設され、而も、該主動歯車５の第一偏心重り５ｂと従動歯車６の第二偏心重り６ｂが、上下同一方向で左右逆方向に設けられてなるものである。ここで、「上下同一方向で左右逆方向」とは、図２および図５に示すように、第一偏心重り５ｂが第一歯車本体５ａの最上位および最下位に位置するときには、第二偏心重り６ｂも同様に第二歯車本体６ａの最上位および最下位に位置し、その逆に、第一偏心重り５ｂが左側に位置するときには、第二偏心重り６ｂが右側に位置する関係を言う。
【０００９】
請求項５に記載の支柱用加振装置１は、請求項１乃至４に記載のいずれかの発明において、振動体４の左右両端部には縦孔を有するガイド筒１０が設けられ、当該ガイド筒１０の縦孔に挿通する案内棒１１ａを立設した支持体１１が設けられてなるものである。
【発明の効果】
【００１０】
請求項１に記載の加振装置１は、第一歯車本体５ａに第一偏心重り５ｂを設けた主動歯車５と、第二歯車本体６ａに第二偏心重り６ｂを設けた従動歯車６を備え、それらをモーター２によって回転させるので、第一偏心重り５ｂと第二偏心重り６ｂのはたらきによって振動体４が振動し、その振動が組付体７を介して支柱２０に伝達される。これによって、支柱２０も振動し、地中で弛んだ状態となる。この状態で、係止体８をワイヤー２１等を介して重機２３で引き上げることによって、容易に引抜くことができる。
【００１１】
また、新たな支柱２０を打込む際には、同様に、振動体４の振動を組付体７を介して支柱２０に伝えることによって、容易に地中に打込むことができる。この際、地面が柔らかい場合には振動体４の振動のみによって打込むことができ、また、固い場合には、振動を与えながら打込み機で叩くことによって容易に打込むことができる。
【００１２】
請求項２に記載の加振装置１は、請求項１の発明に加えて、係止体８に、バネ材９ａで構成した緩衝体９が係止され、あるいは組込まれているので、緩衝体９が振動を吸収し、重機２３に加わる振動や衝撃音を和らげることができ、作業性が向上する。
【００１３】
請求項３に記載の加振装置１は、請求項１に記載の発明と同様に、支柱２０の引抜きと打込みを容易なものとすることができる。また、主動歯車５と従動歯車６は、同一径および同一歯数を有して左右に並列設され、かつ、主動歯車５の第一偏心重り５ｂと従動歯車６の第二偏心重り６ｂが、上下同一方向で、左右逆方向に設けられているので、振動体４の不要以上に大きな横揺れを防止して、適切な振動を支柱２０に与えることができる。
【００１４】
ちなみに、第一偏心重り５ｂと第二偏心重り６ｂを、左右同一方向に設けると、振動体４の横揺れが激しくなり、支柱２０が折れ曲がる等の問題が発生するため、好ましくない。
【００１５】
請求項４に記載の加振装置１は、請求項３の発明に加えて、係止体８に、バネ材９ａで構成した緩衝体９が係止され、あるいは組込まれているので、緩衝体９が振動を吸収し、重機２３に加わる振動や衝撃音を和らげることができ、作業性が向上する。
【００１６】
請求項５に記載の加振装置１は、振動体４の左右両端部には縦孔を有するガイド筒１０が設けられ、当該ガイド筒１０の縦孔に挿通する案内棒１１ａを立設した支持体１１が設けられているので、支柱２０をより円滑に引抜き、また、打込むことができる。すなわち、案内棒１１ａがガイド筒１０にガイドされるので、振動体４および組付体７を介して、支柱２０を垂直方向に正確に移動させることができる。これにより、支柱２０の引抜きおよび打込み作業をさらに容易なものとすることができる。
【発明を実施するための最良の形態】
【００１７】
本発明に係る加振装置１の第一実施形態を、図１乃至図３に示す。この加振装置１は、地面に立設されるガードレール用の支柱２０を引抜く際に、その支柱２０に振動を加えて引抜き易くするために使用するものであり、振動体４、組付体７および係止体８を備える。
【００１８】
振動体４は、モーター２の動力により、第一プーリー２ａ、ベルト３およで第二プーリー３ａを介して回転する主動歯車５と、その主動歯車５に噛み合って回転する従動歯車６を備える。主動歯車５は、第一歯車本体５ａに第一偏心重り５ｂを設けて形成され、従動歯車６は、第二歯車本体６ａに第二偏心重り６ｂを設けて形成されている。なお、この主動歯車５と従動歯車６は、同一径で、かつ、同一歯数を有して左右水平に並列設され、さらに、主動歯車５の第一偏心重り５ｂと従動歯車６の第二偏心重り６ｂが、上下同一方向で左右逆方向に設けられている。また、振動体４の下端部には、支柱２０の頭部に組付く組付体７が設けられると共に、上部には、ワイヤー２１を吊下げるための孔部８ａを穿設した係止体８が設けられている。なお、第一プーリー２ａ、ベルト３ａおよび第二プーリー３ｂは、カバーによって覆っている。また、振動体４の両側端部には作業時に手で支えることのできるハンドルが設けられている。
【００１９】
この加振装置１によって支柱２０を引抜くには、まず、係止体８に重機２３から垂下したワイヤー２１を係止し、組付体７を支柱２０の頭部に嵌合する。なお、組付体７には縦長孔７ａを形成し、この縦長孔７ａと、支柱２０の頭部にガイドレールを取付けるために形成されている丸孔２０ａに棒材２２を挿通し、当該組付体７に支柱２０を組付ける。
【００２０】
この状態で、モーター２を駆動させると、主動歯車５および従動歯車６が回転し、第一偏心重り５ｂおよび第二偏心重り６ｂのはたらきによって振動体４が振動する。そして、この振動が組付体７を介して支柱２０に伝わり、当該支柱２０は地中部分で弛んだ状態となる。弛んだ状態となったところで重機２３によって引き上げ、地中から引抜く。この際、支柱２０は地中において弛んだ状態となっているので、容易に引抜かれる。
【００２１】
なお、係止体８にワイヤー２１を直接連結する代わりに、バネ材（コイルバネ）９ａで構成した緩衝体９を介在させてワイヤー２１に連結することもできるし（図４（ａ）参照）、ワイヤー２１の途中に緩衝体９を設けることもできる（図４（ｂ）参照）。
【００２２】
本発明に係る加振装置１の第二実施形態を、図５に示す。この加振装置１の特徴は、振動体４の左右両側に係止体８が設けられ、各係止体８にバネ材（コイルバネ）９ａで構成した緩衝体９が組込まれていることである。二つの係止体８および緩衝体９を設けたことで、より安定した姿勢で、かつ少ない衝撃で支柱２０を引抜くことができる。
【００２３】
本発明に係る加振装置１の第三実施形態を、図６に示す。この加振装置１の特徴は、振動体４の左右両端部には縦孔を有するガイド筒１０が設けられ、そのガイド筒１０の縦孔に挿通する案内棒１１ａを垂直に立設した支持体１１が設けられていることである。支持体１１は、二本の案内棒１１ａの下端部を連結して固定する底部材１１ｂと、その上端部を連結する上部材１１ｃを備える。また、上部材１１ｃには吊下げ用の引掛部１１ｄが設けられている。
【００２４】
この支持体１１を使用することによって、装置本体（振動体４、組付体７および係止体８の一体物）を垂直方向に正確かつ安定姿勢で引き上げることができるので、支柱２０をより円滑かつ容易に引抜くことができる。
【産業上の利用可能性】
【００２５】
なお、本発明に係る加振装置１は、ガードレール用の支柱２０のみでなく、あらゆる支柱の引抜きおよび打込みに使用することができる。
【図面の簡単な説明】
【００２６】
【図１】本発明に係る加振装置の第一実施形態の使用状態を示す概略正面図である。
【図２】本発明に係る加振装置の第一実施形態を示すもので、（ａ）は正面図、（ｂ）は側面図である。
【図３】図２に示す加振装置の主動歯車（従動歯車）を示すもので、（ａ）は正面図、（ｂ）は側面図である。
【図４】図２に示す加振装置の変形例を示すそれぞれ正面図である。
【図５】本発明に係る加振装置の第二実施形態を示すもので、（ａ）は正面図、（ｂ）は側面図である。
【図６】本発明に係る加振装置の第三実施形態を示す正面図である。
【符号の説明】
【００２７】
１        加振装置
２        モーター
２ａ      第一プーリー
３ａ      ベルト
３ｂ      第二プーリー
４        振動体
５        主動歯車
５ａ      第一歯車本体
５ｂ      第一偏心重り
６        従動歯車
６ａ      第二歯車本体
６ｂ      第二偏心重り
７        組付体
７ａ      縦長孔
８        係止体
８ａ      孔部
９        緩衝体
９ａ      バネ材（コイルバネ）
１０      ガイド筒
１１      支持体
１１ａ    案内棒
１１ｂ    底部材
１１ｃ    上部材
１１ｄ    引掛部
１２      カバー
１３      ハンドル
２０      支柱
２０ａ    丸孔
２１      ワイヤー
２２      棒材
２３      重機
【図１】
2005113405.tif 000003
【図２】
2005113405.tif 000004
【図３】
2005113405.tif 000005
【図４】
2005113405.tif 000006
【図５】
2005113405.tif 000007
【図６】
2005113405.tif 000008